(57)【要約】【課題】複数のフォーカスで広範囲の画像を撮影することによって広範囲の全ての画像にフォーカスを合うようにする。【解決手段】レンズ部２２で設定された無限遠に焦点が設定されたフォーカスをフォーカスＡと、フォーカスＡより近くに焦点が設定されたフォーカスをフォーカスＢで撮影を行う。同じ座標位置となるフォーカスＡおよびフォーカスＢの画像データを比較し、最適なフォーカスが設定される。全体画像表示部１０２および選択画像表示部１０３は、座標位置毎に設定されたフォーカスで取り込まれた画像データで表示される。【選択図】    図４
2004173152.tif 000002
【特許請求の範囲】
【請求項１】
少なくとも第１および第２のフォーカスで画像データを撮影する撮像部と、
上記撮像部の撮像方向を可変する撮像方向可変部と、
上記撮像方向可変部の最大可動範囲内において、上記撮像部で撮影された画像データの位置情報を検出する位置情報検出手段と、
上記検出された位置情報を上記第１および第２のフォーカスで撮影された画像データ毎に付加し、蓄積する蓄積部と、
同じ位置情報となる上記第１および第２のフォーカスで撮影される画像データを比較し、上記位置情報における最適なフォーカスを選択し、設定するフォーカス設定手段と、
複数のブロックから構成される集合画像であって、上記位置情報毎に設定された最適なフォーカスで撮影された画像データを圧縮した圧縮画像、または上記位置情報毎に設定された最適なフォーカスで撮影され、上記蓄積部に蓄積された画像データを圧縮した圧縮画像にそれぞれの位置情報を組み込み、上記位置情報が組み込まれた圧縮画像を対応する上記ブロックに表示する集合画像表示部と
を有することを特徴とするモニタリングシステム。
【請求項２】
上記フォーカス設定手段では、
ユーザによって上記集合画像上で画像データを選択し、最適なフォーカスを設定するようにしたことを特徴とする請求項１に記載のモニタリングシステム。
【請求項３】
少なくとも第１および第２のフォーカスで画像データを撮像部で撮影するステップと、
上記撮像部の撮像方向を可変するステップと、
上記撮像方向の最大可動範囲内において、上記撮像部で撮影された画像データの位置情報を検出するステップと、
上記検出された位置情報を上記第１および第２のフォーカスで撮影された画像データ毎に付加し、蓄積部に蓄積するステップと、
同じ位置情報となる上記第１および第２のフォーカスで撮影される画像データを比較し、上記位置情報における最適なフォーカスを選択し、設定するステップと、
複数のブロックから構成される集合画像であって、上記位置情報毎に設定された最適なフォーカスで撮影された画像データを圧縮した圧縮画像、または上記位置情報毎に設定された最適なフォーカスで撮影され、上記蓄積部に蓄積された画像データを圧縮した圧縮画像にそれぞれの位置情報を組み込み、上記位置情報が組み込まれた圧縮画像を対応する上記ブロックに表示するステップと
を有することを特徴とするモニタリング方法。
【請求項４】
上記フォーカスを設定するステップでは、
ユーザによって上記集合画像上で画像データを選択し、最適なフォーカスを設定するようにしたことを特徴とする請求項３に記載のモニタリング方法。
【請求項５】
少なくとも第１および第２のフォーカスで画像データを撮像部で撮影するステップと、
上記撮像部の撮像方向を可変するステップと、
上記撮像方向の最大可動範囲内において、上記撮像部で撮影された画像データの位置情報を検出するステップと、
上記検出された位置情報を上記第１および第２のフォーカスで撮影された画像データ毎に付加し、蓄積部に蓄積するステップと、
同じ位置情報となる上記第１および第２のフォーカスで撮影される画像データを比較し、上記位置情報における最適なフォーカスを選択し、設定するステップと、
複数のブロックから構成される集合画像であって、上記位置情報毎に設定された最適なフォーカスで撮影された画像データを圧縮した圧縮画像、または上記位置情報毎に設定された最適なフォーカスで撮影され、上記蓄積部に蓄積された画像データを圧縮した圧縮画像にそれぞれの位置情報を組み込み、上記位置情報が組み込まれた圧縮画像を対応する上記ブロックに表示するステップと
を有することを特徴とするモニタリング方法をコンピュータに実行させるためのプログラム。
【請求項６】
上記フォーカスを設定するステップでは、
ユーザによって上記集合画像上で画像データを選択し、最適なフォーカスを設定するようにしたことを特徴とする請求項５に記載のモニタリング方法をコンピュータに実行させるためのプログラム。
【請求項７】
少なくとも第１および第２のフォーカスで画像データを撮像部で撮影するステップと、
上記撮像部の撮像方向を可変するステップと、
上記撮像方向の最大可動範囲内において、上記撮像部で撮影された画像データの位置情報を検出するステップと、
上記検出された位置情報を上記第１および第２のフォーカスで撮影された画像データ毎に付加し、蓄積部に蓄積するステップと、
同じ位置情報となる上記第１および第２のフォーカスで撮影される画像データを比較し、上記位置情報における最適なフォーカスを選択し、設定するステップと、
複数のブロックから構成される集合画像であって、上記位置情報毎に設定された最適なフォーカスで撮影された画像データを圧縮した圧縮画像、または上記位置情報毎に設定された最適なフォーカスで撮影され、上記蓄積部に蓄積された画像データを圧縮した圧縮画像にそれぞれの位置情報を組み込み、上記位置情報が組み込まれた圧縮画像を対応する上記ブロックに表示するステップと
を有することを特徴とするモニタリング方法をコンピュータに実行させるためのプログラムを記録したコンピュータ読み取り可能な記録媒体。
【請求項８】
上記フォーカスを設定するステップでは、
ユーザによって上記集合画像上で画像データを選択し、最適なフォーカスを設定するようにしたことを特徴とする請求項７に記載のモニタリング方法をコンピュータに実行させるためのプログラムを記録したコンピュータ読み取り可能な記録媒体。
【発明の詳細な説明】
【０００１】
【発明の属する技術分野】
この発明は、監視カメラ等に適用されるモニタリングシステムおよび方法並びにプログラムおよび記録媒体に関する。
【０００２】
【従来の技術】
従来、広範囲の状況を監視するとき、例えば海上監視、河川監視、立ち入り監視区域のモニタリング、野生動物の行動観察等にモニタリングシステムが使用されている。広範囲の画像を高精細で撮影するため、画素数が非常に多い撮像センサが搭載されているビデオカメラを使用していた。そのために、システムの価格が高くなり、コストの面で問題があった。
【０００３】
【特許文献１】
特願２００２−１３１０２５号（第１９頁、第６図）
そこで出願人は、この特許文献１において、シフトレンズを用い、一般的な画素数の撮像素子を使用して空間を画角毎に取り込み、組み合わせることによって、高精細且つ広範囲な画像を取り込むことが可能となるカメラシステムを提案している。
【０００４】
【発明が解決しようとする課題】
しかしながら、この画像取り込み時には、フォーカスを固定しているので、広範囲の画像中にどうしてもフォーカスの合わない部分が発生する問題があった。
【０００５】
従って、この発明の目的は、複数のフォーカスで広範囲の画像を撮影することによって広範囲の全ての画像にフォーカスを合うようにすることができるモニタリングシステムおよび方法並びにプログラムおよび記録媒体を提供することにある。
【０００６】
【課題を解決するための手段】
上述した課題を達成するために請求項１に記載の発明は、少なくとも第１および第２のフォーカスで画像データを撮影する撮像部と、撮像部の撮像方向を可変する撮像方向可変部と、撮像方向可変部の最大可動範囲内において、撮像部で撮影された画像データの位置情報を検出する位置情報検出手段と、検出された位置情報を第１および第２のフォーカスで撮影された画像データ毎に付加し、蓄積する蓄積部と、同じ位置情報となる第１および第２のフォーカスで撮影される画像データを比較し、位置情報における最適なフォーカスを選択し、設定するフォーカス設定手段と、複数のブロックから構成される集合画像であって、位置情報毎に設定された最適なフォーカスで撮影された画像データを圧縮した圧縮画像、または位置情報毎に設定された最適なフォーカスで撮影され、蓄積部に蓄積された画像データを圧縮した圧縮画像にそれぞれの位置情報を組み込み、位置情報が組み込まれた圧縮画像を対応するブロックに表示する集合画像表示部とを有することを特徴とするモニタリングシステムである。
【０００７】
請求項３に記載の発明は、少なくとも第１および第２のフォーカスで画像データを撮像部で撮影するステップと、撮像部の撮像方向を可変するステップと、撮像方向の最大可動範囲内において、撮像部で撮影された画像データの位置情報を検出するステップと、検出された位置情報を第１および第２のフォーカスで撮影された画像データ毎に付加し、蓄積部に蓄積するステップと、同じ位置情報となる第１および第２のフォーカスで撮影される画像データを比較し、位置情報における最適なフォーカスを選択し、設定するステップと、複数のブロックから構成される集合画像であって、位置情報毎に設定された最適なフォーカスで撮影された画像データを圧縮した圧縮画像、または位置情報毎に設定された最適なフォーカスで撮影され、蓄積部に蓄積された画像データを圧縮した圧縮画像にそれぞれの位置情報を組み込み、位置情報が組み込まれた圧縮画像を対応するブロックに表示するステップとを有することを特徴とするモニタリング方法である。
【０００８】
請求項５に記載の発明は、少なくとも第１および第２のフォーカスで画像データを撮像部で撮影するステップと、撮像部の撮像方向を可変するステップと、撮像方向の最大可動範囲内において、撮像部で撮影された画像データの位置情報を検出するステップと、検出された位置情報を第１および第２のフォーカスで撮影された画像データ毎に付加し、蓄積部に蓄積するステップと、同じ位置情報となる第１および第２のフォーカスで撮影される画像データを比較し、位置情報における最適なフォーカスを選択し、設定するステップと、複数のブロックから構成される集合画像であって、位置情報毎に設定された最適なフォーカスで撮影された画像データを圧縮した圧縮画像、または位置情報毎に設定された最適なフォーカスで撮影され、蓄積部に蓄積された画像データを圧縮した圧縮画像にそれぞれの位置情報を組み込み、位置情報が組み込まれた圧縮画像を対応するブロックに表示するステップとを有することを特徴とするモニタリング方法をコンピュータに実行させるためのプログラムである。
【０００９】
請求項７に記載の発明は、少なくとも第１および第２のフォーカスで画像データを撮像部で撮影するステップと、撮像部の撮像方向を可変するステップと、撮像方向の最大可動範囲内において、撮像部で撮影された画像データの位置情報を検出するステップと、検出された位置情報を第１および第２のフォーカスで撮影された画像データ毎に付加し、蓄積部に蓄積するステップと、同じ位置情報となる第１および第２のフォーカスで撮影される画像データを比較し、位置情報における最適なフォーカスを選択し、設定するステップと、複数のブロックから構成される集合画像であって、位置情報毎に設定された最適なフォーカスで撮影された画像データを圧縮した圧縮画像、または位置情報毎に設定された最適なフォーカスで撮影され、蓄積部に蓄積された画像データを圧縮した圧縮画像にそれぞれの位置情報を組み込み、位置情報が組み込まれた圧縮画像を対応するブロックに表示するステップとを有することを特徴とするモニタリング方法をコンピュータに実行させるためのプログラムを記録したコンピュータ読み取り可能な記録媒体である。
【００１０】
このように少なくとも第１および第２のフォーカスで異なる位置の画像データを撮影し、第１および第２のフォーカスで撮影された画像データ中から最適なフォーカスであると判断される画像データを集合画像の対応する位置に表示することによって、犠牲としていた情報の質を向上させることができる。
【００１１】
【発明の実施の形態】
以下、この発明の一実施形態について図面を参照して説明する。図１は、この発明の一実施形態の概略的な構成を示す。ディスプレイ２が接続されているコンピュータ１は、カメラユニット３を制御する。図１の例は、１台のコンピュータ１が２台のカメラユニット３を制御し、また、ディスプレイ２’を有する他のコンピュータ１’が他のカメラユニット３’を制御するシステムの例である。１台のコンピュータが複数台のカメラユニットを制御できる。
【００１２】
カメラユニット３は、パンチルタ部４とカメラ部５が一体的に構成されたものである。カメラユニット３は、遠方の対象領域を撮影可能なように設置される。一例として、カメラ部５は、倍率が１０倍、７０倍等の望遠レンズを有し、数十メートルから数キロメートル離れた場所を撮影可能とされている。
【００１３】
カメラ部５は、例えば外部からのトリガと同期してシャッタをオンできるディジタルスチルカメラであり、その撮影素子例えばＣＣＤ（Ｃｈａｒｇｅ  Ｃｏｕｐｌｅｄ  Ｄｅｖｉｃｅ）は、ＶＧＡ（Ｖｉｄｅｏ  Ｇｒａｐｈｉｃｓ  Ａｒｒａｙ，６４０×４８０  画素）、ＸＧＡ（ｅＸｔｅｎｄｅｄ  Ｇｒａｐｈｉｃｓ  Ａｒｒａｙ，１０２４×７６８  画素）、ＳＸＧＡ（Ｓｕｐｅｒ  ｅＸｔｅｎｄｅｄ  Ｇｒａｐｈｉｃｓ  Ａｒｒａｙ，１２８０×１０２４画素）等の画素数を有する。ＶＧＡの撮像素子の場合では、３０ｆｐｓ（フレーム／秒）のレートで静止画像（フレーム）が出力され、ＸＧＡの撮像素子の場合では、１５ｆｐｓ（フレーム／秒）のレートで静止画像が出力され、ＳＸＧＡの撮像素子の場合では、７．５ｆｐｓ（フレーム／秒）のレートで静止画像が出力される。
【００１４】
映像データは、カメラユニット３からコンピュータ１に対してバス６を介して伝送される。バス６は、映像データの伝送路とカメラユニット３の制御信号とを伝送する。上述した構成は、コンピュータ１’とカメラユニット３’とに関しても同様である。
【００１５】
コンピュータ１、１’では、カメラユニット３、３’からの映像データをメモリに蓄積し、後述するように、操作用のＧＵＩ（Ｇｒａｐｈｉｃａｌ  Ｕｓｅｒ  Ｉｎｔｅｒｆａｃｅ）を構成し、ユーザが所望の対象領域の画像をカメラユニット３、３’で撮影できるように、カメラユニット３、３’を制御できる。圧縮符号化例えばＪＰＥＧ（Ｊｏｉｎｔ  Ｐｈｏｔｏｇｒａｐｈｉｃ  Ｅｘｐｅｒｔｓ  Ｇｒｏｕｐ）  によって撮影画像が圧縮される。
【００１６】
コンピュータ１および１’は、ＬＡＮ（Ｌｏｃａｌ  Ａｒｅａ  Ｎｅｔｗｏｒｋ）７で互いに接続されている。ＬＡＮ７に対してさらに他のコンピュータ８が接続されている。参照符号９は、コンピュータ８のディスプレイである。コンピュータ８は、ＬＡＮ７を介してコンピュータ１、１’からのフレーム等を受取り、アーカイブ１０に対して映像データを蓄積し、さらに、フレームの処理を行う。例えば映像データを使用して顔認識、荷物認識、環境認識、車認識等の処理がなされる。アーカイブ１０は、テープストリーマのような大量のデータを蓄積できるものである。
【００１７】
図２は、上述したモニタリングシステムにおけるコンピュータ１とカメラユニット３の部分のより詳細な構成を示す。図２の例では、参照符号２１で示す共通のコントローラバス２１に対して、カメラユニットおよびコンピュータの構成要素が接続されている。
【００１８】
パンチルタ部４は、パン部４ａとチルト部４ｂからなる。パン部４ａおよびチルト部４ｂは、それぞれ駆動源として例えばステッピングモータを有し、コントローラバス２１を介してコントローラＣＰＵ３３から供給される制御信号に応じてカメラ部をパンまたはチルトさせる。パンチルタ部４上にカメラ部が載置されている。ここで、パンは、水平方向にカメラを回転させることを意味し、チルトは、垂直方向にカメラを回転させることを意味する。一例として、パン角の最大値が１８０°とされ、チルト角の最大値が９０°とされている。
【００１９】
後述するように、カメラ部の最大移動範囲内で、チルト角＝±４５°、パン角＝±９０°程度の範囲でカメラ部を移動させる。撮像中心を画角分移動させる毎に、シャッターがオンされ、例えば１／６０秒または１／３０秒の静止画像（以下、適宜「フレーム」と称する）が撮影される。すなわち、カメラ部では動画が撮影され、撮影された動画が１／６０秒または１／３０秒からなる１枚の静止画像として、後段に供給される。
【００２０】
縦方向でＭ枚（例えば８枚）、横方向でＮ枚（例えば１６枚）の合計（Ｍ×Ｎ＝８×１６＝１２８枚）のフレームが順番に撮影され、これらを圧縮すると共に連結させて１枚の全体画像を形成する。各フレームが例えばＸＧＡ（１０２４×７６８画素）画像である。したがって、１２８枚のフレームは、重複部分を無視すると、（横方向が１０２４×１６＝１６，３８４画素で、縦方向が７６８×８＝６，１４４画素）の約１億画素の画像を形成する。１２８枚のフレームを撮影するのに約５秒かかる。重複部分は、例えば縦横のそれぞれで１６画素とされる。
【００２１】
カメラ部は、ディジタルスチルカメラの構成とされ、レンズ部２２とフォーカス・ズーム・アイリス制御部２３と撮像部２４とからなる。フォーカス・ズーム・アイリス制御部２３は、コントローラバス２１を介してコントローラＣＰＵ３３から供給される制御信号によって制御される。撮像部２４は、固体撮像素子例えばＣＣＤとカメラ信号処理回路とを含む。撮像部２４からのディジタル映像信号がＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）  １３９４のインターフェース２５を介してバッファメモリ２６に書き込まれる。
【００２２】
バッファメモリ２６の出力データがＪＰＥＧエンコーダ／メタデータ付加部２７に供給され、フレームがＪＰＥＧデータに変換される。ＪＰＥＧは、圧縮方式の１つであって、他の圧縮方式を使用しても良いし、圧縮しないでも良い。
【００２３】
カメラユニット３には、その位置を検出するためのＧＰＳ（Ｇｌｏｂａｌ  Ｐｏｓｉｔｉｏｎｉｎｇ  Ｓｙｓｔｅｍ）  ２８が備えられている。ＧＰＳ２８を備えることによって、カメラの設置場所のデータを記録できると共に、カメラの向きを検出し、複数のカメラの向きを連動して制御することが可能となる。ＧＰＳ２８は、コントローラバス２１を介してコントローラＣＰＵ３３から供給される制御信号によって制御される。
【００２４】
ＧＰＳ２８の出力信号がメタデータ生成部２９に供給され、ＧＰＳ２８の測位結果に基づいた位置情報（緯度・経度、方位、高度等の情報）およびメタデータ（時刻、カメラ部のパラメータ（倍率、フォーカス値、アイリス値等）等の情報）が生成される。位置情報およびメタデータがＪＰＥＧエンコーダ／メタデータ付加部２７に供給され、ＪＰＥＧデータに対して位置情報およびメタデータが付加される。
【００２５】
メタデータおよび位置情報が付加されたＪＰＥＧデータがハードディスク等のメインメモリ３０に蓄積されると共に、グラフィックコントローラ３１および画像圧縮部３２に供給される。この明細書では、メインメモリ３０に対する蓄積を記録と呼び、メインメモリ３０からデータを読み出すことを再生と呼ぶことにする。また、メインメモリ３０を介さないで現に撮影中の画像を表示することをライブモードと称し、過去に記録されたデータをメインメモリ３０から再生して表示することをビューモードと称する。
【００２６】
メインメモリ３０は、サーバとしての機能を有する。例えばＸＧＡの画像をＪＰＥＧで圧縮した結果、１枚のフレームのデータ量は、１００ｋバイトとなり、１２８枚の画像で１２．５Ｍバイトのデータ量である。メインメモリ３０が８０Ｇバイト程度の容量を有していれば、１日分のＪＰＥＧデータを保存することが可能である。ビューモードにおいては、メインメモリ３０に限らず、アーカイブ等の蓄積装置に蓄積されているより旧いデータを再生することを可能とされている。
【００２７】
メインメモリ３０から再生されたＪＰＥＧデータがグラフィックコントローラ３１に供給される。画像圧縮部３２は、ＪＰＥＧエンコーダ／メタデータ付加部２７からのＪＰＥＧデータ、またはメインメモリ３０から再生されたＪＰＥＧデータから圧縮画像またはサムネイル（縮小画像）を生成する。例えば縦方向および横方向のそれぞれが間引かれることで、パノラマ状の全体画像が形成される。また、後述する可動範囲画像を形成するための圧縮処理も、画像圧縮部３２においてなされる。上述したように、ＸＧＡの場合では、約１億画素のデータがＪＰＥＧ圧縮と画像圧縮部３２の処理によって、（４００×１０００画素）のようなパノラマ状の全体画像が形成される。可動範囲画像もサムネイルであるが、全体画像よりもさらに粗い画像である。
【００２８】
グラフィックコントローラ３１は、ＪＰＥＧデータをビットマップデータへ変換し、ディスプレイ２の画面上に所望の画像表示がなされるようなグラフィックス処理を行う。すなわち、可動範囲画像表示、全体画像表示、選択画像表示、ボタン等のＧＵＩ表示がディスプレイ２の画面上でなされる。表示の詳細については、後述する。
【００２９】
また、グラフィックコントローラ３１は、画像処理を行い、画像変化を検出する。画像変化は、リファレンス画像に対して生じた変化である。例えばビューモードにおいて、以前に蓄積されたリファレンス画像との比較がなされ、画像変化が検出される。リファレンス画像として、前日の所定時刻の画像を設定し、それ以降に蓄積された画像とリファレンス画像との画素の差分を検出し、画素の差分の絶対値が所定値以上の場合を変化が生じたものと検出する。差分の検出としては、比較しようとする画像とリファレンス画像との空間的同一位置のフレーム毎に同一位置の画素の差分値を演算する方法が使用できる。全画素に関する差分を検出するのに代えて、代表画素または間引かれた画素に関して差分を演算しても良い。また、所定の色を限定することによって、所定の色の物体に着目した変化検出を行うことも可能である。
【００３０】
変化が検出されると、ディスプレイ２上の表示でアラーム例えば変化が検出されたフレームを他のフレームと区別できる表示がなされる。具体的には、輝度変化、色変化、ブリンク等の方法でアラームを表示できる。リファレンス画像は、蓄積されている画像の中で、所定のものを任意に選択することが可能とされている。
【００３１】
上述したように、コントローラバス２１に接続されたコントローラＣＰＵ３３は、カメラ部のレンズ制御（例えば、フォーカス等）、露出制御（例えば、絞り、ゲイン、電子シャッタースピード等）、白バランス制御、画質制御等を行うと共に、パン部４ａおよびチルト部４ｂを制御する。
【００３２】
参照符号３４は、Ｉ／Ｏポートである。Ｉ／Ｏポート３４に対しては、キーボード３５およびマウス３６が接続され、また、Ｉ／Ｏポート３４に対しては、メモリカード３７および時計３８が接続されている。メモリカード３７に対して、メインメモリ３０に記録されている位置情報およびメタデータが付加されたＪＰＥＧデータを書き込むことができる。また、時計３８から時刻データが得られる。
【００３３】
なお、図２では、コントローラバス２１に対して各構成要素が接続されているが、カメラユニットとコンピュータとを離れた場所に設置し、両者をＩＥＥＥ１３９４、ＵＳＢ等で接続するようにしても良い。この場合、物理的伝送路としては、光ファイバが使用される。光ファイバを使用すれば、カメラユニットと制御用のコンピュータとを数百メートルから数キロメートル程度離して配置できる。さらに、両者を無線ＬＡＮで接続しても良い。
【００３４】
図３に、この発明の一実施形態によるＧＵＩの画面例を示す。この図３に示す１画面には、可動範囲画像表示部１０１、全体画像表示部１０２および選択画像表示部１０３が配置されている。
【００３５】
可動範囲画像表示部１０１には、可動範囲画像が表示される。可動範囲画像とは、カメラユニットが撮影可能な最大範囲を示す画像であり、複数枚のフレームにより構成される。そのためこの一実施形態では、図に示すようにパノラマ状の画像となる。上述したように、パン角の最大値が１８０°とされ、チルト角の最大値が９０°とされており、この最大可動範囲で撮影された複数枚のフレームから可動範囲画像が生成される。なお、この可動範囲画像表示部１０１には、構成される複数のフレームに付加されている位置情報が組み込まれている。
【００３６】
そして、後述するＭＲＰ（Ｍｏｖａｂｌｅ  Ｒａｎｇｅ  Ｐｉｃｔｕｒｅ）表示ボタン１３０がクリックされた時、またはカメラユニットを設置し、撮影開始時において、カメラ部を最大可動範囲にわたって動かし、その結果得られる複数枚のフレームで構成される画像に関して縦方向および横方向に画素を間引いたサムネイルが可動範囲画像として使用される。また、所定の時間間隔で可動範囲画像を構成する全フレームを撮影し、蓄積および／または表示するようにしても良い。
【００３７】
この可動範囲画像表示部１０１には、全体画像表示部１０２に表示されている範囲を認識するための全体画像表示枠１０１ａが示される。この全体画像表示枠１０１ａをマウス３６で動かすことによって、可動範囲画像内の所望の範囲を指示することができ、指示された範囲を撮像するようにカメラ部を制御することができる。すなわち、指示された範囲において、（Ｍ×Ｎ）枚のフレーム（静止画像）が撮影され、蓄積および／または表示される。
【００３８】
なお、この全体画像表示枠１０１ａは一例であり、様々な形状で全体画像表示部１０２に表示されている範囲を可動範囲画像表示部１０１に示すようにしても良い。
【００３９】
また、この全体画像表示枠１０１ａの大きさは、一例として可動範囲画像表示部１０１に表示されるフレームの（８×１６）枚の大きさであり、後述するＲＥＣ  ＭＯＤＥ選択メニュー１１８で選択される記録モードの画像サイズに合わせた大きさである。従って、後述するように（４×８）枚のフレームの大きさであっても良いし、（２×４）枚のフレームの大きさであっても良い。また、１つのフレームの大きさは、レンズ部２２の倍率および撮像部２４の画素数による。
【００４０】
この全体画像表示枠１０１ａを移動させる場合、一例として全体画像表示枠１０１ａの中央となるフレームをマウス３６で選択した後、選択したフレームが中央となるように全体画像表示枠１０１ａを表示する。また、マウス３６の移動に連動して全体画像表示枠１０１ａを移動するようにしても良いし、全体画像表示枠１０１ａの例えば左上となるフレーム、または対角となる左上と右下の２つのフレームをマウス３６で選択するようにしても良い。このように、その位置を移動した全体画像表示枠１０１ａに対応した範囲を撮影するためにカメラユニットが制御され、カメラユニットの光軸が向けられる。
【００４１】
また、全体画像表示部１０２には、パノラマ状の全体画像が表示される。全体画像は、撮影された原画像に対応するＪＰＥＧデータを画像圧縮部３２によって圧縮した画像である。表示されている全体画像を見ることで、モニタリングを行うことができる。さらに、前述したように、画像変化が検出されると、全体画像表示部１０２に表示されている全体画像中で変化が検出されたフレームが他のフレームと異なる表示とされるアラームが発生する。
【００４２】
選択画像表示部１０３には、選択画像が表示される。選択画像は、全体画像の一部を拡大した画像である。全体画像中で指示された位置の例えばフレームが選択画像として表示される。圧縮されていない１フレームの原画像を表示することで拡大することができる。さらに、ディジタル信号処理によって画像を拡大することもできる。
【００４３】
ＥＸＩＴボタン１０４は、モニタリングシステムの電源をオフするためのボタンである。Ｃａｍｅｒａ  ｓｙｓｔｅｍ  ＯＦＦボタン１０５は、カメラユニットの電源をオフするためのボタンである。
【００４４】
ＶＩＥＷ  ＭＯＤＥボタン１０６は、モニタリングシステムのモードをビューモードに切り換えるためのボタンである。ビューモードとは、メインメモリ３０または他のサーバに蓄積されたフレームに基づき、全体画像および部分画像を表示するモードである。
【００４５】
ＬＩＶＥ  ＭＯＤＥボタン１０７は、モニタリングシステムのモードをライブモードに切り換えるためのボタンである。ライブモードとは、カメラユニットが現在撮影しているフレームに基づき、全体画像および部分画像を表示するモードである。
【００４６】
Ｃｏｍｐａｓ表示領域１０８は、カメラユニットのレンズの光軸が向いている方位を示すコンパスを表示するための領域である。ＧＰＳ  Ｄａｔａ表示領域１０９は、カメラユニットが設置されている場所の緯度、軽度および高度と、撮影の日時とを表示すための領域である。なお、この領域１０８および１０９に表示されるデータは、カメラユニットに備えられたＧＰＳ２８において測定されたデータである。
【００４７】
Ｖｉｅｗ  ｏｆｆｓｅｔボタン１１０は、選択されたフレームの位置を調整するためのボタンである。Ｖｉｅｗ  ｏｆｆｓｅｔボタン１１０は、それぞれ全体画像表示部１０２に表示されている全体画像中でポインタにより選択された１枚のフレームを、上方向、下方向、左方向、右方向に移動させるためのものである。全体画像を構成する複数枚のフレームは、隣り合うフレームと所定画素数、例えば上下、左右で１６画素重複して表示されている。この重複部分の範囲内でフレームを移動させることによって、隣り合うフレームとの整合性を取ることができ、表示状態をなめらかなものとできる。
【００４８】
モード表示領域１２９は、モード情報、アラーム情報およびエラー情報などを表示するための領域である。モード情報は、ユーザにモニタリングシステムのモードを知らせるための情報であり、具体的には、ライブモードおよびビューモードなどの情報である。アラーム情報は、ユーザに警告を促すための情報であり、例えば、上述したＶｉｅｗ  ｏｆｆｓｅｔボタン１１０によりフレームを移動できる限界に達した時に表示される。エラー情報は、ユーザにモニタリングシステムにおいて発生しているエラーを知らせるための情報である。
【００４９】
Ｃａｍｅｒａ  Ｃｏｎｔｏｒｏｌ部１１１は、ＺＯＯＭボタン１１２、ＦＯＣＵＳボタン１１３、ＩＲＩＳボタン１１４、Ｃａｍｅｒａ  Ｃｏｎｆｉｇｕｒａｔｉｏｎボタン１１５およびＷｈｉｔｅ  Ｂａｌａｎｃｅボタン１１６を備える。ＺＯＯＭボタン１１２は、カメラユニットのズームを調整するためのボタンである。ＦＯＣＵＳボタン１１３は、カメラユニットのフォーカスを調整するためのボタンである。ＩＲＩＳボタン１１４は、カメラユニットのアイリス調整をするためのボタンである。Ｃａｍｅｒａ  Ｃｏｎｆｉｇｕｒａｔｉｏｎボタン１１５は、カメラユニットのγ特性、シャッタースピード、ゲイン特性などの調整をするためのボタンである。Ｗｈｉｔｅ  Ｂａｌａｎｃｅボタン１１６は、カメラユニットの白バランスを調整するためのボタンである。なお、カメラシステムがビューモードにある場合には、Ｃａｍｅｒａ
Ｃｏｎｔｏｒｏｌ部１１１の表示が省略されるようにしてもかまわない。
【００５０】
ＳＥＬＥＣＴボタン１１７は、ビューモードにおいて、セレクト画面を表示するためのボタンである。セレクト画面は、再生および記録を所望する領域を、全体画像を構成するフレームにより特定するための画像である。
【００５１】
ＲＥＣ  ＭＯＤＥ選択メニュー１１８は、記録モードを選択するためのプルダウンメニューである。このプルダウンメニューには、記録する画像サイズと記録方法（ＲＵＮまたはＳＩＮＧＬＥ）とを組み合わせた記録モードが表示される。画像サイズは、（８×１６）枚のフレームから構成される全体画像と、全体画像の内の選択された（４×８）枚のフレームから構成される部分画像と、全体画像の内の選択された（２×４）枚のフレームから構成される部分画像との何れかが可能とされている。部分画像は、セレクト画面から選択された位置のものである。記録方法のＲＵＮは、所定周期（例えば５秒周期）で発生する撮影画像を記録する方法であり、そのＳＩＮＧＬＥは、１回のみ記録する方法である。記録モードとしては、これらを組み合わせたものが選択可能とされている。
【００５２】
Ｓｔａｇｅ  Ｃｏｎｆｉｇ（Ｓｔａｇｅ  Ｃｏｎｆｉｇｕｒａｔｉｏｎ）ボタン１１９は、ステージを動かす精度などを微調整するためのボタンである。メッセージ領域１２０は、コントロール用のコンピュータとカメラユニットとの接続状況およびカメラユニットのステージのコントロール状況を表示するための領域である。コントロール用のコンピュータとカメラユニットとが接続されている場合には、この図３中に示すように、メッセージ領域に“ＩＭＡＧＥ  ＳＥＲＶＥＲ  ＣＯＮＮＥＣＴ”が表示される。また、カメラユニットのステージがコントロール可能な状況にある場合には、メッセージ領域に“ＳＴＡＧＥ  ＣＯＮＴＲＯＬ  ＡＣＴＩＶＥ”が表示される。
【００５３】
ＲＥＣボタン１２１は、画像の記録を開始するためのボタンであり、このボタンをクリックすると、ＲＥＣ  ＭＯＤＥ選択メニュー１１８で選択されている記録モードに応じた記録が開始される。具体的には、ＲＵＮ（８×１６）、ＲＵＮ（４×８）、ＲＵＮ（２×４）、ＳＥＬＥＣＴ  ＳＩＮＧＬＥ  ＲＵＮ（８×１６）、ＳＥＬＥＣＴ  ＳＩＮＧＬＥ  ＲＵＮ（４×８）、ＳＥＬＥＣＴ  ＳＩＮＧＬＥ  ＲＵＮ（２×４）などのモードから選択されたモードに応じた記録が開始される。
【００５４】
ＰＬＡＹボタン１２２は、サーバ（メインメモリ３０）に記録されたフレームを再生するためボタンである。具体的には、このＰＬＡＹボタン１２２をクリックすると、蓄積データ表示画面が表示される。この蓄積データ表示画面には、蓄積されているフレームを識別するための情報が表示される。この情報は、後述するディレクションファイルに記述されている情報に基づいたものである。
【００５５】
ＳＴＯＰボタン１２３は、記録または再生動作を停止するためのボタンである。なお、ＳＴＯＰボタン１２３は、ＲＥＣボタン１２１あるいはＰＬＡＹボタン１２２のクリックにより表示されるようにしても良い。
【００５６】
Ｓｅｔ  Ｃａｍｅｒａ  Ｃｅｎｔｅｒ  ＰＯＳ（Ｓｅｔ  Ｃａｍｅｒａ  Ｃｅｎｔｅｒ  ＰＯＳＩＴＩＯＮ）ボタン１２５は、現在カメラ部が向いている方向を（８×１６）の画像のセンターとして指定するためのボタンである。
【００５７】
ＨＯＭＥボタン１２４は、カメラユニットを制御し、カメラユニットのレンズの光軸をホームポジションに向けるためのボタンである。ホームポジションは、カメラ部が一番左側の位置を向いている位置である。ＬＩＶＥ／ＶＩＥＷ  ＰＯＳＩＴＩＯＮボタン１２６は、カメラ部をパンあるいはチルトするためのボタンである。
【００５８】
ＺＯＯＭボタン１２７ａおよび１２７ｂは、選択画像表示部１０３に表示された選択画像の拡大および縮小を行うためのボタンである。ＭＡＸ  ＶＩＥＷボタン１２８は、選択画像を別画面例えば全体画像表示部１０２により拡大表示するためのボタンである。
【００５９】
ＭＲＰ表示ボタン１３０は、可動範囲画像表示部１０１に表示される複数枚のフレームを撮影し、蓄積および／または表示するときにクリックされるボタンである。すなわち、このＭＲＰ表示ボタン１３０がクリックされると、カメラユニットが撮影可能な全ての範囲をフレーム単位で撮影し、撮影された各フレームが持っているカメラ部の位置情報に基づいて全フレームを集合させて、可動範囲画像として可動範囲画像表示部１０１に表示させる。
【００６０】
次に、図４を用いて、カメラユニット３による撮影に関する動作の一例について説明する。この実施形態では、２種類のフォーカスで周辺画像を取り込む一例とする。レンズ部２２で設定された無限遠に焦点が設定されたフォーカスを「フォーカスＡ」と称し、フォーカスＡより近くに焦点が設定されたフォーカスを「フォーカスＢ」と称する。
【００６１】
カメラユニット３は、パンチルタ部４の雲台にカメラ部５が設置され、ホームポジションから撮像方向が可変される。図４において、撮影された（Ｍ×Ｎ）枚のフレームをカメラ側から見て、各行に対して上から順に１、２、・・・、Ｍの番号を付し、各列に対して左から順に１、２、・・・、Ｎの番号を付す。ホームポジションは例えば（１，１）の座標のフレームを撮影する位置とされる。
【００６２】
（１，１）の座標位置のフレームを撮影すると、カメラユニット３が下側にチルトされ、（２，１）の座標位置のフレームが撮影され、以下、順に（３，１）・・・・、（Ｍ，１）の座標位置のフレームが撮影され、次に第２列の一番上の座標位置（１，２）のフレームが撮影される。以下、各フレームを（Ｍ，Ｎ）の座標位置のフレームまで撮影する。このようにフォーカスＡおよびフォーカスＢでそれぞれ（Ｍ×Ｎ）枚撮影される。
【００６３】
フォーカスＡおよびフォーカスＢで撮影されたフレームは、メインメモリ３０に記録される。このメインメモリ３０では、フォーカスＡで撮影されたフレームと、フォーカスＢで撮影されたフレームとを区別するために、それぞれの領域を設定するようにしても良いし、それぞれのフレームにフラグを付するようにしても良い。
【００６４】
ここで、図５のフローチャートを参照して、座標位置毎に最適なフォーカスを設定する動作を説明する。ステップＳ１では、まずレンズ部２２がフォーカスＡに設定され、上述したように各座標位置のフレームが撮影される。撮影されたフレームは、メインメモリ３０に記録される。次に、ステップＳ２では、レンズ部２２がフォーカスＢに設定され、各フレームのフレームが撮影される。撮影されたフレームは、メインメモリ３０に記録される。
【００６５】
ステップＳ３では、フォーカスＡおよびフォーカスＢで撮影された同じ座標位置Ｎのフレームがメインメモリ３０から再生される。ステップＳ４では、再生された同じ座標位置のフォーカスＡのフレームおよびフォーカスＢのフレームの中から最適なフォーカスが選択される。例えば、フォーカスＡで撮影されたフレームの周波数成分と、フォーカスＢで撮影されたフレームの周波数成分とを比較して、高周波成分がより多いフレームを撮影したフォーカスが最適なフォーカスとして選択される。そして、フォーカスＡが最適なフォーカスであると判断されると、ステップＳ５へ制御が移り、フォーカスＢが最適なフォーカスであると判断されると、ステップＳ７へ制御が移る。
【００６６】
ステップＳ５では、座標位置Ｎの最適なフォーカスとして、フォーカスＡが設定される。ステップＳ７では、座標位置Ｎの最適なフォーカスとして、フォーカスＢが設定される。
【００６７】
ステップＳ６では、（Ｍ×Ｎ）枚の全ての座標位置のフォーカスの設定が終了したか否かが判断される。全ての座標位置のフォーカスの設定が終了したと判断されると、このフローチャートの制御を終了し、未だ全ての座標位置のフォーカスの設定は終了していないと判断されると、ステップＳ８へ制御が移る。ステップＳ８では、次の座標位置のフォーカスを設定するために、座標位置Ｎがインクリメントされ、ステップＳ３へ制御が戻る。
【００６８】
このように位置座標毎に設定された最適なフォーカスで撮影された画像データが全体画像表示部１０２および選択画像表示部１０３に表示される。
【００６９】
また、座標位置毎のフォーカスを選択するとき、フレーム中の対象物までの距離を正確に計算するようにしても良い。
【００７０】
さらに、座標位置毎のフォーカスを選択するとき、しきい値を用いて判断するようにしても良い。そのしきい値をユーザによって任意の値に設定可能なようにしても良い。
【００７１】
また、全体画像表示部１０２および選択画像表示部１０３の全てのフレームにフォーカスＡのフレームを表示させて、フォーカスを変えたい部分をユーザによって選択するようにしても良い。
【００７２】
具体的には、フォーカスを変えたい部分をクリックすると、ポップアップメニューによって、表示可能なフレームのフォーカスが表示され、表示されたフォーカスの中から所望のフォーカスを選択し、選択されたフォーカスがその座標位置のフォーカスとして設定されるようにしても良い。
【００７３】
そして、稼動範囲画像表示部１０１、全体画像表示部１０２、および選択画像表示部１０３のいずれの表示部でもフォーカスを設定することができるようにしても良い。
【００７４】
また、稼動範囲画像表示部１０１、全体画像表示部１０２、および選択画像表示部１０３のいずれの表示部でフォーカスを設定しても、他の表示部でフォーカスが設定された座標位置のフレームを表示するときには、設定されたフォーカスのフレームを表示するようにしても良い。
【００７５】
例えば、全体画像表示部１０２上の所望の部分を選択し、選択した所望の部分に該当する座標位置のフォーカスを設定すると、全体画像表示部１０２で設定された座標位置のフレームが移動範囲画像表示部１０１および選択画像表示部１０３に表示されるときに、全体画像表示部１０２で設定されたフォーカスのフレームを表示するようにしても良い。
【００７６】
また、移動範囲画像表示部１０１、全体画像表示部１０２、および選択画像表示部１０３のそれぞれ別々に所望の部分のフォーカスを設定するようにしても良い。
【００７７】
さらに、この一例では、２種類のフォーカスで周辺画像を取り込むようにしているが、３種類以上のフォーカスで周辺画像を取り込むようにしても良い。
【００７８】
なお、稼動範囲画像表示部１０１は、フォーカスＡのフレームのみ、またはフォーカスＢのフレームのみで表示するようにしても良い。
【００７９】
ここで、ライブモードで動作するときの一例を説明する。まず、レンズ部２２がフォーカスＡと設定され、全体画像表示部１０２に表示されている座標位置のフレームが撮影される。撮影されたフレームは、メインメモリ３０に記録される。
【００８０】
そして、（８×１６）枚のフレームの撮影および記録が終了すると、レンズ部２２がフォーカスＢと設定され、全体画像表示部１０２に表示されている座標位置のフレームが撮影される。撮影されたフレームは、メインメモリ３０に記録される。
【００８１】
このフォーカスＡおよびフォーカスＢでの撮影および記録は、繰り返し行われる。例えば、（８×１６）枚のフレームの撮影および記録が終了すると、全体画像表示部１０２の中でフォーカスＡに設定されているフレームに該当する座標位置のフレームがメインメモリ３０から再生され、表示される。
【００８２】
次に、フォーカスがＡからＢに切り替えられ、フォーカスＢで全体画像表示部１０２に表示されている座標位置のフレームが撮影される。撮影されたフレームは、メインメモリ３０に記録される。（８×１６）枚のフレームの撮影および記録が終了すると、全体画像表示部１０２の中でフォーカスＢに設定されているフレームに該当する座標位置のフレームがメインメモリ３０から再生され、表示される。
【００８３】
このライブモードで動作するときの一例では、全体画像表示部１０２に表示されている（８×１６）枚の座標位置のフレームを全て撮影し、記録するようにしているが、フォーカスＡで撮影するときには、フォーカスＡに設定されている座標位置のフレームのみ撮影し、記録し、フォーカスＢで撮影するときには、フォーカスＢに設定されている座標位置のフレームのみ撮影し、記録するようにしても良い。このとき、レンズ部２２は、位置座標毎に設定されたフォーカスに対応して制御される。
【００８４】
このライブモードで動作するときの一例では、フォーカスＡを撮影し、記録した後、フォーカスＢを撮影し、記録するようにしているが、全体画像表示部１０２に表示されている（８×１６）枚のフレームを順次撮影するときに、その位置座標に設定されているフォーカスとなるようにレンズ部２２を制御して、フレームを撮影し、記録するようにしても良い。
【００８５】
図６に、７５倍の望遠レンズがカメラユニット３に備えられている場合に、１フレームで撮影できる範囲を示す。カメラユニット３から１００ｍ離れた距離にある被写体を撮影する場合には、１フレームで、縦８．７ｍ×横１．１７ｍの範囲を撮影することができる。例えば、カメラ部５の撮像素子として、ＸＧＡ用の撮像素子を用いた場合には、被写体の縦０．８７ｃｍ×横１．１７ｃｍの範囲を約１画素で表すことができる。
【００８６】
カメラユニット３から２００ｍ離れた距離にある被写体を撮影する場合には、１フレームで、縦１．７４ｍ×横２．３４ｍの範囲を撮影することができる。例えば、カメラ部５の撮像素子として、ＸＧＡ用の撮像素子を用いた場合には、被写体の縦１．７４ｃｍ×横２．３４ｃｍの範囲を１画素で表すことができる。
【００８７】
カメラユニット３から５００ｍ離れた距離にある被写体を撮影する場合には、１フレームで、縦４．３６ｍ×横５．８４ｍの範囲を撮影することができる。例えば、カメラ部５の撮像素子として、ＸＧＡ用の撮像素子を用いた場合には、被写体の縦４．３６ｃｍ×横５．８４ｃｍの範囲を１画素で表すことができる。
【００８８】
図７および図８を参照して取得したフレームをメインメモリ３０等に記録する場合のデータ管理方法を説明する。図７に示すように、所定時間間隔で、（Ｍ×Ｎ）枚のフレームの画像が撮影される。撮影された画像は、圧縮されてメインメモリ３０に記録される。このとき、Ｍ行Ｎ列によって各フレームの位置が規定される。例えば（１，１）の位置アドレスによって、右端の最も上のフレームが規定される。
【００８９】
各フレームは、図８Ａに示すように、この位置アドレスと記録時の時間情報とをファイル名としてメインメモリ３０に記録される。このとき時間情報は、一例として（１，１）の位置アドレスで示すフレームが撮影された年月日時分秒で構成される。したがって、各フレームのファイル名は、（年月日時分秒、位置アドレス）となる。
【００９０】
さらに、図８Ｂに示すように、（Ｍ×Ｎ）枚のフレームで全体的な１枚の画像が形成されることに対応して、ディレクションファイルが規定されている。ディレクションファイルは、（１，１）の位置アドレスを有するフレームのファイル名（すなわち、年月日時分秒、位置アドレス）と同一のデータを持つことで、当該（Ｍ×Ｎ）枚のフレームの集合を定義する。さらに、このフレームの集合に対する位置情報およびメタデータをディレクションファイルが有する。位置情報およびメタデータは、メタデータ生成部２９で生成されたものである。すなわち、緯度・経度、方位、高度等の位置情報と、カメラ部５のパラメータ（倍率、フォーカス値、アイリス値等）等のメタデータ情報とをディレクションファイルが有する。
【００９１】
図９を参照して、カメラユニット３の動作の実施形態を説明する。この図９は、カメラユニット３を真上から見たときの、カメラ部５の平面断面図とする。またここでは、説明を容易とするために、カメラ部５には、レンズ部２２および撮像部２４のみを図示し、このカメラ部５を単にパンさせる。
【００９２】
カメラ部５のパンの中心は、基準円２０２で示す中心位置とする。この一例では、説明を容易とするため撮像部２４において被写体の像を結像する面の中心と、基準円２０２の中心とがずれているが、それぞれが一致するように配置しても何ら問題はない。
【００９３】
カメラ部５の光線の中心を基準線２２０で示し、撮影しようとする被写体の撮像中心を撮像中心線２１０で示す。レンズ部２２は、レンズ２０３、２０４、２０６、２０７、およびシフトレンズ（光路可変素子）２０５から構成される。一例として、レンズ２０３、２０４、および２０６は、その屈折率が１より大きい凸レンズであり、シフトレンズ２０５およびレンズ２０７は、その屈折率が１より小さい凸レンズである。
【００９４】
なお、このシフトレンズ２０５は、一例としてレンズと、そのレンズを水平方向に移動させるリニアモータと、レンズを垂直方向に移動させるリニアモータとから構成される。そして、この実施形態では、レンズ自身のことをシフトレンズと称する。
【００９５】
この図９では、一例として図９Ａ、図９Ｂ、そして図９Ｃの順番にパンする。まず、図９Ａに示すように、基準線２２０と撮像中心線２１０とが角度θａとなるときに、被写体の像は光路２１１ａを経由してレンズ２０３に入射される。
【００９６】
レンズ２０３に入射された被写体の像は、レンズ２０３の屈折率で屈折され、光路２１２ａを経由してレンズ２０４に入射される。レンズ２０４に入射された被写体の像は、レンズ２０４の屈折率で屈折され、光路２１３ａを経由して被写体の像を撮像部２４に供給するために位置２０５ａへ移動しているシフトレンズ２０５に入射される。
【００９７】
シフトレンズ２０５に入射された被写体の像は、シフトレンズ２０５の屈折率で屈折され、光路２１４ａを経由してレンズ２０６に入射される。このとき、パン部４ａのサーボモータに供給するパルス数を計数した計数値に対応してシフトレンズ２０５のリニアモータに所定の電圧が印加され、位置２０５ａにシフトレンズ２０５を移動させる。
【００９８】
レンズ２０６に入射された被写体の像は、レンズ２０６の屈折率で屈折され、光路２１５を経由してレンズ２０７に入射される。レンズ２０７に入射された被写体の像は、レンズ２０７の屈折率で屈折され、光路２１６を経由して撮像部２４に入射される。
【００９９】
このように、パン部４ａのサーボモータに供給するパルス数を計数した計数値に対応した位置２０５ａにシフトレンズ２０５を移動させることによって、シフトレンズ２０５で形成される光路２１４ａを経由して、撮像部２４に被写体の像を入射させるように、レンズ２０６に被写体の像が入射される。
【０１００】
そして、図９Ｂに示すように、基準線２２０と撮像中心線２１０とが一致するときに、被写体からの像は光路２１１ｂを経由してレンズ２０３に入射される。
【０１０１】
レンズ２０３に入射された被写体の像は、レンズ２０３の屈折率で屈折され、光路２１２ｂを経由してレンズ２０４に入射される。レンズ２０４に入射された被写体の像は、レンズ２０４の屈折率で屈折され、光路２１３ｂを経由して被写体の像を撮像部２４に供給するために位置２０５ｂへ移動しているシフトレンズ２０５に入射される。
【０１０２】
シフトレンズ２０５に入射された被写体の像は、シフトレンズ２０５の屈折率で屈折され、光路２１４ｂを経由してレンズ２０６に入射される。このとき、シフトレンズ２０５のレンズの中心と、基準線２２０と、撮像中心線２１０とが一致するようにシフトレンズ２０５のリニアモータに所定の電圧が印加され、位置２０５ｂにシフトレンズ２０５を移動させる。
【０１０３】
レンズ２０６に入射された被写体の像は、レンズ２０６の屈折率で屈折され、光路２１５を経由してレンズ２０７に入射される。レンズ２０７に入射された被写体の像は、レンズ２０７の屈折率で屈折され、光路２１６を経由して撮像部２４に入射される。
【０１０４】
このように、シフトレンズ２０５の中心と、基準線２２０と、撮像中心線２１０とが一致する位置２０５ｂにシフトレンズ２０５を移動させることによって、シフトレンズ２０５で形成される光路２１４ｂを経由して、撮像部２４に被写体の像を入射させるように、レンズ２０６に被写体の像が入射される。
【０１０５】
そして、図９Ｃに示すように、基準線２２０と撮像中心線２１０とが角度−θｃとなるときに、被写体からの像は光路２１１ｃを経由してレンズ２０３に入射される。
【０１０６】
レンズ２０３に入射された被写体の像は、レンズ２０３の屈折率で屈折され、光路２１２ｃを経由してレンズ２０４に入射される。レンズ２０４に入射された被写体の像は、レンズ２０４の屈折率で屈折され、光路２１３ｃを経由して被写体の像を撮像部２４に供給するために位置２０５ｃへ移動しているシフトレンズ２０５に入射される。
【０１０７】
シフトレンズ２０５に入射された被写体の像は、シフトレンズ２０５の屈折率で屈折され、光路２１４ｃを経由してレンズ２０６に入射される。このとき、パン部４ａのサーボモータに供給するパルス数を計数した計数値に対応しててシフトレンズ２０５のリニアモータに所定の電圧が印加され、位置２０５ｃにシフトレンズ２０５を移動させる。
【０１０８】
レンズ２０６に入射された被写体の像は、レンズ２０６の屈折率で屈折され、光路２１５を経由してレンズ２０７に入射される。レンズ２０７に入射された被写体の像は、レンズ２０７の屈折率で屈折され、光路２１６を経由して撮像部２４に入射される。
【０１０９】
このように、パン部４ａのサーボモータに供給するパルス数を計数した計数値に対応した位置２０５ｃにシフトレンズ２０５を移動させることによって、シフトレンズ２０５で形成される光路２１４ｃを経由して、撮像部２４に被写体の像を入射させるように、レンズ２０６に被写体の像が入射される。
【０１１０】
この図９に示すようにカメラ部５の移動する方向と逆方向になるようにシフトレンズ２０５を移動させることによって、撮像部２４で露光される被写体の像を同一にすることができる。
【０１１１】
この実施形態では、カメラ部５で撮影される１画面分を移動するときのパルス数を１サイクルのパルスと称する。そして、カメラ部５が移動する方向によって、ＦＷＤサイクルおよびＲＥＶサイクルの２種類のサイクルがある。この実施形態では、ＦＷＤサイクルのときにシフトレンズ２０５が待機している位置を図９Ａに示す位置２０５ａとする。
【０１１２】
また、ＦＷＤサイクルの時にシフトレンズ２０５が、シフトレンズの位置２０５ａからシフトレンズの位置２０５ｃ（図９Ｃ参照）へ移動する。このとき、一例としてカメラ部５を移動させるサーボモータは時間によって制御される。また、カメラ部５を移動させるモータにステッピングモータが使用されている場合、出力されるパルス数が計数され、制御される。
【０１１３】
なお、ＲＥＶサイクルの時には、ＦＷＤサイクルの時の逆の制御となるようにシフトレンズ２０５が制御される。例えば、カメラ部５が図９Ｃに示すように、基準線２２０と撮像中心線２１０とが角度−θｃに到達後、１サイクルが終了した時点で、シフトレンズ２０５は位置２０５ａになるように、シフトレンズ２０５を移動させるリニアモータに供給する電圧を瞬時に切り替える。
【０１１４】
シフトレンズ２０５が位置２０５ａから位置２０５ｃへ動き出した後、シフトレンズ２０５が位置２０５ｂ（図９Ｂ参照）となるときに、撮像部２４に対してシャッタパルスが出力される。このとき、一例としてシフトレンズ２０５を水平方向に移動させるリニアモータの駆動電圧によって、シャッタパルスを出力するタイミングが生成される。
【０１１５】
このように、撮像部２４が恰も静止状態となるようにシフトレンズ２０５を制御するためには、カメラ部５を動かす３つのパラメータを制御する必要がある。第１のパラメータは、カメラ部５の１サイクルが始まってからシフトレンズ２０５が位置２０５ａから位置２０５ｃへ動き始める時間である。第２のパラメータは、カメラ部５が位置２０５ａから位置２０５ｃへ移動するためにかかる時間である。第３のパラメータは、シフトレンズ２０５が位置２０５ｂとなるときのリニアモータに供給する電圧値である。一般的には、カメラ部５を移動させる速度と、シフトレンズ２０５を移動させる速度とが等しくなるように制御される。
【０１１６】
また、カメラ部５のパンの速度と、画像の取り込みに必要な光量とによって、シフトレンズ２０５を移動させる速度が変化する。
【０１１７】
また、この図９Ａ、図９Ｂ、および図９Ｃから、光路２１４ａ、２１４ｂ、および２１４ｃは、基準線２２０と撮像中心線２１０との角度に対応して位置２０５ａ、２０５ｂ、および２０５ｃへ移動されたシフトレンズ２０５によって、レンズ２０６に常に一定の被写体の像を入射させることができる。例えば、基準線２２０と撮像中心線２１０との角度が求められると、その角度に応じた電圧がシフトレンズ２０５の位置を移動させる水平方向のリニアモータに印加される。リニアモータに電圧が印加され、所定の位置へ移動したシフトレンズ２０５によって、レンズ２０６に一定の被写体の像を入射させる光路２１４が形成される。
【０１１８】
また、カメラ部５が一定速度でパンしているので、そのパンの速度に合わせて、シフトレンズ２０５の位置を移動するようにしても良い。例えば、図１０に示すシフトレンズ２０５の水平方向のリニアモータに印加される電圧を、カメラ部５の速度対応させて、繰り返すようにしても良い。
【０１１９】
この図１０に示す電圧Ｖａがシフトレンズ２０５を移動させる水平方向のリニアモータに印加されると、シフトレンズ２０５が位置２０５ａに移動する。電圧Ｖｂがシフトレンズ２０５を移動させる水平方向のリニアモータに印加されると、シフトレンズ２０５が位置２０５ｂに移動する。電圧Ｖｃがシフトレンズ２０５の水平方向のリニアモータに印加されると、シフトレンズ２０５が位置２０５ｃに移動する。従って、この図１０に示す電圧の方向は、シフトレンズ２０５の水平方向の位置を示す。なお、この図１０では、電圧Ｖｂを０Ｖとしているが、電圧Ｖｃを０Ｖとするようにして、シフトレンズ２０５を制御しても良いし、電圧Ｖａを０Ｖとするようにして、シフトレンズ２０５を制御しても良い。
【０１２０】
図１１にカメラ部５を移動させながら、３つの撮像範囲を撮影するときの概略図を示す。この図１１では、一例としてそれぞれ隣り合う座標位置のフレーム（１，１）、（１，２）、（１，３）が順次取り込まれる。
【０１２１】
この図１１に示すように、図９Ａに示すカメラ部５の位置のときの光路２１１ａから図９Ｃに示すカメラ部５の位置のときの光路２１１ｃまでの期間であれば、同一の被写体の像を撮像部２４に入射させることができる。従って、撮像部２４に同一の被写体の像を入射させることができる期間であれば、どのようなタイミングでもフレームを取り込むことができる。このとき、基準円２０２を中心としてカメラ部５は回転し、撮像する方向を変える。
【０１２２】
カメラ部５を一定速度でパンさせながら、例えば（１，１）の座標位置のフレームに続いて、（１，２）の座標位置のフレーム、そして（１，３）の隣り合う座標位置のフレームと連続して取り込む。そのために、カメラ部５の回転方向に対応してシフトレンズ２０５を、例えば位置２０５ａから位置２０５ｃまで移動させる。従って、撮像部２４に同一の被写体の像を入射することができるので、この図１１の一例では、シフトレンズ２０５を移動させている期間に、３つのフレームを取り込むことができる。
【０１２３】
また、参照符号２３１で示す隣り合うフレームとの重複部分は、上述したように、例えば縦横のそれぞれで１６画素とされる。従って、フレームの一辺の重複部分は、それぞれ８画素とされる。
【０１２４】
なお、シフトレンズ２０５を移動させるリニアモータの動作が電圧Ｖａおよび／またはＶｃ付近では、完璧な線形にはならない。しかしながら、撮像部２４に同一の被写体の像が入射され、露光されている期間は、シフトレンズ２０５を移動させるリニアモータが完璧な線形で動作する必要がある。そこで、リニアモータの動作の開始時では、その動作が安定していないため、動作が開始してから動作が安定するまでの一定期間、露光期間を待つ必要がある。従って、完璧な線形となる中心付近、すなわち電圧Ｖｂ、（位置２０５ｂ）を中心とした所定の範囲でフレームを取り込むことによって、より安定した画像を得ることができる。
【０１２５】
図１２Ａは、パンチルタ部４にカメラ部５を設けた平面断面図であり、図１２Ｂは、カメラ部５を横から見た側面断面図である。この図１２Ｂに示すように、カメラ部５をチルトさせても、そのチルトされたカメラ部５の方向に対応して、シフトレンズ２０５を所定の方向に移動することによって、同一の被写体の像を撮像部２４に入射させることができる。
【０１２６】
図１３を参照して、パンチルタ部４とは異なる移動体にカメラ部５を搭載したときの他の実施形態を説明する。ここでは、説明を容易とするために、水平方向にのみカメラ部５を移動させる移動体とする。この移動体は、例えばサーボモータの回転運動を直線運動に変えることによって実現することができる。この図１３では、一例として（１，１）の座標位置のフレームに続いて、（１，２）の座標位置のフレームを連続して取り込む。
【０１２７】
参照番号２４１で示す矢印の方向にカメラ部５を一定速度で移動させる。図１３Ａに示すカメラ部５の移動範囲内であれば、移動するカメラ部５に対応してシフトレンズ２０５を移動させることによって、撮像部２４に同一の被写体の像を入射させることができる。従って、（１，１）の座標位置のフレームを取り込むことができる。
【０１２８】
そして、カメラ部５が移動体によって隣り合う（１，２）の座標位置のフレームを取り込むことが可能な範囲に移動したとき（図１３Ｂ参照）に、移動するカメラ部５に対応してシフトレンズ２０５を移動させることによって、撮像部２４に同一の被写体の像を入射させることができる。従って、（１，２）の座標位置のフレームが取り込まれる。
【０１２９】
このように、カメラ部５を一定速度で移動させることができる移動体であれば、どのような移動体であっても、隣り合うフレームを取り込むことができる。
【０１３０】
この発明は、上述したこの発明の一実施形態等に限定されるものでは無く、この発明の要旨を逸脱しない範囲内で様々な変形や応用が可能である。
【０１３１】
この実施形態では、カメラユニット３を下側にチルトし、フレームを順次撮影しているが、カメラユニット３を上側にチルトし、フレームを順次撮影するようにしても良いし、カメラユニット３を右側にパンし、フレームを順次撮影するようにしても良いし、カメラユニット３を左側にパンし、フレームを順次撮影するようにしても良い。
【０１３２】
この実施形態では、レンズ２０３、２０４、２０６、２０７、およびシフトレンズ２０５は、全て凸レンズから構成されているが、全て凹レンズから構成されるようにしても良いし、凸レンズと凹レンズとを適宜組み合わせた構成としても良い。
【０１３３】
この実施形態では、撮像された（Ｍ×Ｎ）枚のフレームをそれぞれメインメモリ３０に記録するようにしているが、（Ｍ×Ｎ）枚のフレームを連結させて１枚の画像としてメインメモリ３０に記録するようにしても良い。
【０１３４】
この実施形態では、撮像部２４に同一の被写体の像を入射させるために、カメラ部５の方向に対応してシフトレンズ２０５が所定の方向に移動するようになされているが、レンズ部２２を構成するそれぞれのレンズが凸レンズか凹レンズか、そのレンズの屈折率が１より大きいか、小さいかなど、その構成によってシフトレンズ２０５の移動する方向は反対方向になることもある。
【０１３５】
この実施形態では、座標位置に基づいてフレームを撮影するようにしているが、位置アドレスに基づいてフレームを撮影するようにしても良い。
【０１３６】
この発明は、上述したこの発明の一実施形態等に限定されるものではなく、この発明の要旨を逸脱しない範囲内で様々な変形や応用が可能である。
【０１３７】
【発明の効果】
この発明に依れば、複数のフォーカスで周辺画像を撮影することによって、手前の対象物には、フォーカスを近くに合わせて撮影した画像を用い、遠い場所の対象物にはフォーカスを遠くに合わせて撮影した画像を用いることができるので、フォーカスが一致していないために犠牲としていた情報の質を、向上させることができる。さらに、複数のフォーカスで撮影された画像を組み合わせて１つの画像とするので、任意の場所の拡大表示を行う場合でもピントがあった画像を表示することができる。
【図面の簡単な説明】
【図１】この発明の一実施形態のモニタリングシステムを概略的に示すブロック図である。
【図２】この発明の一実施形態のブロック図である。
【図３】この発明の一実施形態における画面表示の一例を説明するための略線図である。
【図４】この発明に適用されるカメラ部の動作の実施形態を説明するための概略図である。
【図５】この発明に適用されるカメラ部の動作の実施形態を説明するためのフローチャートである。
【図６】この発明の一実施形態における被写体までの距離と撮影範囲および解像度を説明するための略線図である。
【図７】この発明に適用される撮影された画像の管理方法を説明するための略線図である。
【図８】この発明に適用される撮影された画像の管理方法を説明するための略線図である。
【図９】この発明に適用されるカメラ部の動作の実施形態を説明するための概略図である。
【図１０】この発明に適用されるシフトレンズに印加する時間と電圧の関係を説明するための特性図である。
【図１１】この発明に適用されるカメラ部の動作の実施形態を説明するための概略図である。
【図１２】この発明に適用されるカメラ部の動作の実施形態を説明するための概略図である。
【図１３】この発明の他の実施形態となるカメラ部の動作を説明するための概略図である。
【符号の説明】
１・・・コンピュータ、２・・・ディスプレイ、３・・・カメラユニット、４・・・パンチルタ部、５・・・カメラ部、２１・・・コントローラバス、２４・・・撮影部、２７・・・ＪＰＥＧエンコーダ／メタデータ付加部、３０・・・メインメモリ、３１・・・グラフィックコントローラ、３２・・・画像圧縮部、３３・・・コントローラＣＰＵ、１０１・・・可動範囲画像表示部、１０２・・・全体画像表示部、１０３・・・選択画像表示部
【図１】
2004173152.tif 000003
【図２】
2004173152.tif 000004
【図３】
2004173152.tif 000005
【図４】
2004173152.tif 000006
【図５】
2004173152.tif 000007
【図６】
2004173152.tif 000008
【図７】
2004173152.tif 000009
【図８】
2004173152.tif 000010
【図９】
2004173152.tif 000011
【図１０】
2004173152.tif 000012
【図１１】
2004173152.tif 000013
【図１２】
2004173152.tif 000014
【図１３】
2004173152.tif 000015